(57)【要約】【課題】キャストが容易で、把持した際の釣り人の手の負担が小さいリールシートと釣竿を提供する。【解決手段】竿本体２に装着される筒状のリールシート本体１を備え、該リールシート本体１の上面に両軸リールが取り付けられるリールシートであって、リールシート本体１の下面には、指を掛けるためのトリガー１４が下側に向けて突設され、該トリガー１４の後側には、後側に向けて下側に傾斜して延びる前面１５ｂを有するグリップ部１５が下側に向けて膨出形成されており、トリガー１４に人差し指１００を掛けた状態で中指１０１から小指１０３までの三本の指でグリップ部１５の前面１５ｂを把持できる。【選択図】図４
2019140961.tif 000002
【特許請求の範囲】
【請求項１】
竿本体に装着される筒状のリールシート本体を備え、該リールシート本体の上面に両軸リールが取り付けられるリールシートであって、
リールシート本体の下面には、指を掛けるためのトリガーが下側に向けて突設され、該トリガーの後側には、後側に向けて下側に傾斜して延びる前面を有するグリップ部が下側に向けて膨出形成されており、グリップ部の前面は、トリガーに人差し指を掛けた状態で中指から小指までの三本の指で把持できる前後方向の長さを有していることを特徴とするリールシート。
【請求項２】
リールシート本体の上面には、リール脚の後端部を保持するための固定フード部が形成されており、グリップ部は、固定フード部よりも後側に位置している請求項１記載のリールシート。
【請求項３】
グリップ部の前面は、トリガーの後面の基端部から後側に向けて延びている請求項１又は２記載のリールシート。
【請求項４】
グリップ部の前面の水平面に対する傾斜角度は、後側に向けて徐々に大きくなっている請求項１乃至３の何れかに記載のリールシート。
【請求項５】
グリップ部の左右方向の寸法は、トリガーの左右方向の寸法よりも大きい請求項１乃至４の何れかに記載のリールシート。
【請求項６】
請求項１乃至５の何れかに記載のリールシートを備えた釣竿。
【発明の詳細な説明】
【技術分野】
【０００１】
本発明は、釣竿に両軸リールを固定するためのリールシートと、該リールシートを備えた釣竿に関する。
【背景技術】
【０００２】
下記特許文献１には、下面に二つのトリガーが突設されたリールシートが記載されている。この釣竿を把持する場合、前側のトリガーには中指を引っ掛けて、後側のトリガーには薬指を引っ掛けるものとされているが、手の負担が大きい。
【先行技術文献】
【特許文献】
【０００３】
【特許文献１】特開２００８−２７１８６４号公報
【発明の概要】
【発明が解決しようとする課題】
【０００４】
本発明は、キャストが容易で、把持した際の釣り人の手の負担が小さいリールシート及び釣竿を提供することを課題としている。
【課題を解決するための手段】
【０００５】
本発明は上記課題を解決すべくなされたものであって、本発明に係るリールシートは、竿本体に装着される筒状のリールシート本体を備え、該リールシート本体の上面に両軸リールが取り付けられるリールシートであって、リールシート本体の下面には、指を掛けるためのトリガーが下側に向けて突設され、該トリガーの後側には、後側に向けて下側に傾斜して延びる前面を有するグリップ部が下側に向けて膨出形成されており、グリップ部の前面は、トリガーに人差し指を掛けた状態で中指から小指までの三本の指で把持できる前後方向の長さを有していることを特徴とする。尚、竿先側を前側とし、竿尻側を後側とする。
【０００６】
該構成のリールシートは、トリガーとグリップ部を備えている。グリップ部の前面は後側に向けて下側に傾斜して延びた傾斜面となっている。釣竿に装着されたリールシートの上面に両軸リールを取り付けて把持する際、親指をスプールに添え、トリガーに人差し指を引っ掛けて、グリップ部の前面を中指から小指までの三本の指で把持することができる。グリップ部の前面は傾斜面となっているので、その前面を三本の指で把持すると、中指から薬指、小指へと順に自然と当接位置が下側に移っていくことになる。即ち、中指から小指にかけて徐々に竿本体の中心線やリールシート本体の中心線から離れていく把持状態となる。そのため、手首が自然な状態となって釣竿及び両軸リールを把持できる。そして、トリガーに指を引っ掛けることで楽にキャストすることができる。
【０００７】
特に、リールシート本体の上面には、リール脚の後端部を保持するための固定フード部が形成されており、グリップ部は、固定フード部よりも後側に位置していることが好ましく、グリップ部を楽に且つしっかりと把持できる。
【０００８】
また、グリップ部の前面は、トリガーの後面の基端部から後側に向けて延びていることが好ましく、グリップ部がトリガーの後側に連続して形成されていることでトリガーに指を引っ掛けつつグリップ部をしっかりと把持できる。
【０００９】
また、グリップ部の前面の水平面に対する傾斜角度は、後側に向けて徐々に大きくなっていることが好ましく、グリップ部を楽にしっかりと把持できる。
【００１０】
更に、グリップ部の左右方向の寸法は、トリガーの左右方向の寸法よりも大きいことが好ましく、グリップ部をしっかりと把持できる。
【００１１】
また、本発明に係る釣竿は、上記リールシートを備えたものである。
【発明の効果】
【００１２】
以上のように、トリガーの後側に三本の指で把持できる構成のグリップ部を備えているので、把持した際の手の負担が小さく、また、トリガーに指を引っ掛けることで容易にキャストできる。
【図面の簡単な説明】
【００１３】
【図１】本発明の一実施形態におけるリールシートのリールシート本体を示す斜視図。
【図２】同リールシート本体の正面図。
【図３】同リールシート本体の底面図。
【図４】同リールシート本体の使用状態を示す正面図。
【図５】同リールシート本体の使用状態を示す正面図。
【図６】本発明の他の実施形態におけるリールシートのリールシート本体の斜視図。
【図７】同リールシート本体の正面図。
【図８】同リールシート本体の底面図。
【発明を実施するための形態】
【００１４】
以下、本発明の一実施形態に係るリールシートについて図１〜図５を参酌しつつ説明する。図１〜図５には本実施形態におけるリールシートのリールシート本体１を示している。リールシートは、図示しない両軸リールを釣竿に取り付けるためのものである。一般的に、使用状態において両軸リールは釣竿の上側に位置する。
【００１５】
リールシートは、竿本体２（ブランク）に外装着される筒状の構成であって、リールシート本体１と、図示しないフード用ナット及び可動フードとを備えている。リールシートの中心線は竿本体２の中心線と一致する。リールシートの軸線方向はリールシートの中心線の方向であり、竿本体２の軸線方向は竿本体２の中心線の方向である。リールシートの軸線方向と竿本体２の軸線方向は一致する。リールシートの軸線方向を前後方向と称する。前側は竿先側であり、後側は竿尻側である。図２に前側を矢印Ｘ１で示し、後側を矢印Ｘ２で示している。また、後述するリール脚載置部１１を上側とし、それとは反対側を下側とする。図２に上側を矢印Ｙ１で示し、下側を矢印Ｙ２で示している。
【００１６】
リールシート本体１は、全体として筒状であって、その内側を竿本体２が挿通する。従って、リールシート本体１は、竿本体２が挿通する竿挿通孔１０（図１参照）を有している。竿挿通孔１０の中心線１０ａがリールシート本体１の中心線である。リールシート本体１は、竿本体２の所定位置に取り付けられる。竿本体２はリールシート本体１の竿挿通孔１０を前後方向に貫通する。竿本体２にリールシートが取り付けられた状態において、竿本体２の後部はリールシートから後方に所定長さ突出する。リールシート本体１は竿本体２の外周面に直接接着固定されたり、竿本体２の外周面との間に筒状のスペーサ（図示省略）を介して接着固定されたりする。
【００１７】
リールシート本体１は、リール脚載置部１１と、固定フード部１２と、フード用雄ネジ部１３と、トリガー１４と、グリップ部１５と、延長筒部１６とを備えている。リール脚載置部１１は、図示しない両軸リールのリール脚を載置するための部分であって、リールシート本体１の上面に形成されている。該リール脚載置部１１の後側に固定フード部１２が形成されている。固定フード部１２は、リール脚の後端部を保持するための部分であって、固定フード部１２には、リール脚の後端部が前側から挿入される。固定フード部１２よりも後側に延長筒部１６が形成されている。該延長筒部１６は、グリップ部１５よりも後側に延びている。尚、本実施形態では延長筒部１６はリールシート本体１と一体的に形成されているが、延長筒部１６をリールシート本体１とは別体構成としてもよい。
【００１８】
リールシート本体１の前部外周面にフード用雄ネジ部１３が形成されている。該フード用雄ネジ部１３に、図示しないフード用ナットが螺合する。該フード用ナットの後側に図示しない可動フードが位置し、可動フードはリールシート本体１に対して前後方向に移動可能であるが回転不能である。可動フードは筒状であって、その全周のうちの上部に部分的に径方向外側に膨出したフード部が形成されている。可動フードのフード部は、リール脚の前端部を保持する部分であって、そのフード部にリール脚の前端部が相対的に後側から挿入される。フード用ナットの後端部は可動フードの前端部に相対回転可能に係止されていて、フード用ナットが回転しながら前後に移動すると、それに合わせて可動フードは前後に移動するものの回転はしない。フード用ナットを後側に移動させることで可動フードを固定フード部１２に接近させることができて可動フードと固定フード部１２でリール脚を前後に狭持して固定する。逆に、フード用ナットを前側に移動させると、可動フードは固定フード部１２から前側に離れていき、両軸リールを釣竿から取り外すことができる。
【００１９】
リールシート本体１の下面にトリガー１４とグリップ部１５とが形成されている。トリガー１４とグリップ部１５は、何れもリールシート本体１に一体的に形成されている。トリガー１４はその前側に指を引っ掛けるためのものであって、主として、人差し指１００や中指１０１が引っ掛けられる。トリガー１４の位置は種々であってよいが、本実施形態では固定フード部１２の下側に対応した位置である。トリガー１４は、リールシート本体１の下面から下側に向けて突設されている。トリガー１４の前後方向の寸法は、左右方向の寸法よりも小さい。即ち、トリガー１４は前後方向に扁平となった形状である。トリガー１４の前後方向の寸法は基端部から先端部１４ａにかけて徐々に小さくなっている。トリガー１４の左右方向の寸法は基端部から先端部１４ａにかけて徐々に小さくなっている。トリガー１４は、リールシート本体１の下面から斜め前方に向けて突出している。トリガー１４は、前面１４ｂと後面１４ｃを有しているが、前面１４ｂと後面１４ｃの何れも、リールシート本体１の下面から斜め前方に向けて延びている。従って、トリガー１４の先端部１４ａはトリガー１４の基端部よりも前側に位置している。トリガー１４の前面１４ｂは指を一本当てることができる程度の突出長さである。
【００２０】
トリガー１４の後側の位置にグリップ部１５が下側に向けて膨出形成されている。グリップ部１５は固定フード部１２よりも後側に位置し、特に、グリップ部１５の先端部１４ａは固定フード部１２から後側に所定距離離れて位置している。グリップ部１５は、トリガー１４の後側に続けて形成されている。グリップ部１５の前面１５ｂはトリガー１４の後面１４ｃの基端部と滑らかに連続している。従って、グリップ部１５の前面１５ｂの前端部はトリガー１４の後面１４ｃの基端部と一致する。グリップ部１５の前面１５ｂは後側に向けて下降していく傾斜面となっている。グリップ部１５の前面１５ｂはトリガー１４の後面１４ｃの基端部からグリップ部１５の先端部１５ａまで形成されている。水平面に対するグリップ部１５の前面１５ｂの傾斜角度は、後側に向けて徐々に大きくなっている。従って、グリップ部１５の前面１５ｂは前後方向に沿って上側凸に湾曲した湾曲面となっている。また、グリップ部１５の前面１５ｂは左右方向に沿って下側凸あるいは前側凸に湾曲している。グリップ部１５の前面１５ｂには、中指１０１から小指１０３までの三本の指を前後に並設状態として当接させることができる。従って、グリップ部１５の前面１５ｂの前後方向の長さは、少なくとも中指１０１から小指１０３までの三本の指を前後に並設できる長さである。
【００２１】
グリップ部１５の前後方向の寸法は基端部から先端部１５ａにかけて徐々に小さくなっている。グリップ部１５の左右方向の寸法は基端部から先端部１５ａにかけて徐々に小さくなっている。グリップ部１５の基端部における前後方向の寸法は、グリップ部１５の基端部における左右方向の寸法よりも大きい。グリップ部１５はトリガー１４よりも大型である。グリップ部１５の基端部における前後方向の寸法はトリガー１４の基端部における前後方向の寸法よりも大きい。グリップ部１５の基端部における左右方向の寸法はトリガー１４の基端部における左右方向の寸法よりも大きい。グリップ部１５の先端部１５ａはトリガー１４の先端部１４ａよりも下側に位置している。
【００２２】
グリップ部１５は、全体として、リールシート本体１の下面から斜め後方に向けて膨出している。グリップ部１５は前面１５ｂと後面１５ｃを有しているが、グリップ部１５の前面１５ｂの前後方向の長さはグリップ部１５の後面１５ｃの前後方向の長さよりも長い。グリップ部１５の前面１５ｂはリールシート本体１の下面から斜め後方に向けて延びている。グリップ部１５の後面１５ｃはリールシート本体１の下面から斜め前方に向けて延びている。但し、グリップ部１５の前面１５ｂの勾配は後面１４ｃの勾配よりも全体として緩やかである。グリップ部１５の後面１５ｃは左右方向に沿って後側凸に湾曲していることが好ましい。
【００２３】
リールシート本体１は、射出成形により形成することができる。その材質としては、種々の合成樹脂してよく、繊維強化樹脂が好ましく、特に、長さが１ｍｍ以下の短繊維を強化繊維とした繊維強化樹脂が好ましい。また、強化繊維としてはカーボン繊維が好ましい。
【００２４】
以上のように構成されたリールシートは釣竿の竿本体２に装着される。使用時にはリールシートの上面に両軸リールが装着される。キャストの際には、両軸リールのスプールの上に親指を当て、残る四本の指はリールシート本体１の下面に当接させる。代表的な把持の状態を図４に示す。トリガー１４の前側に人差し指１００を位置させて、人差し指１００をトリガー１４の前面１４ｂに引っ掛ける。中指１０１と薬指１０２と小指１０３は、トリガー１４とグリップ部１５の先端部１５ａとの間に位置させて、中指１０１から小指１０３までの三本の指をグリップ部１５の前面１５ｂに当接させ、それら三本の指でグリップ部１５を把持する。
【００２５】
このように把持した状態でキャストすることができる。人差し指１００をトリガー１４に引っ掛けているので、楽にキャストすることができる。また、グリップ部１５の前面１５ｂを中指１０１から小指１０３までの三本の指でしっかり把持することができるので、正確にキャストすることができる。また、小さい力で把持することができ、手の負担が小さい。グリップ部１５の前面１５ｂは後側に向けて下方に傾斜しているので、親指をスプールに添えた状態でグリップ部１５の前面１５ｂを中指１０１から小指１０３までの三本の指で自然な状態で把持することができる。グリップ部１５に当接している位置が中指１０１から薬指１０２、小指１０３へと順に竿本体２の中心線から下側に離れていくことになり、三本の指でグリップ部１５の前面１５ｂを手の平の母指球に向けて斜め上方に把持することができる。従って、手首が自然な状態となって楽に把持してキャストすることができる。
【００２６】
尚、図５のように、トリガー１４の前側に人差し指１００と中指１０１を位置させて、中指１０１をトリガー１４の前面１４ｂに引っ掛けるようにしてもよい。その場合、グリップ部１５の前面１５ｂは薬指１０２と小指１０３の二本の指で把持することになる。このような把持の仕方であっても、上述の同様に、手首が自然な状態となるので、楽に把持してキャストできる。尚、キャスト時とキャスト以外の時で把持の状態を変えてもよい。例えばルアー等を巻き取るリーリング時には、キャスト時とは異なる把持の状態としてもよい。例えば、キャスト時には図４のように三本の指でグリップ部１５の前面１５ｂを把持し、リーリング時には図５のように二本の指でグリップ部１５の前面１５ｂを把持するようにしてもよい。少なくとも薬指１０２と小指１０３でグリップ部１５の前面１５ｂを把持すると手首の負担が小さい。
【００２７】
尚、本実施形態ではリールシート本体１が左右対称の形状となっていたが、例えば図６〜図８のように左右非対称の形状であってもよい。図６〜図８に示しているリールシート本体１は、左手で把持する左手用の専用品であるが、右手で把持する右手専用品であってもよい。図６〜図８に示すリールシート本体１の場合、右手で両軸リールのハンドルを回転させる。このリールシート本体１は、左右の側面のうち左側の側面のみに外方に向けて張り出した側方張り出し部２０を有しており、この側方張り出し部２０の有無によって左右非対称形状となっている。パーミング時に、手の平のうち人差し指１００から小指１０３までの四本の指の付け根の関節部分（ＭＰ関節）ないしは触球部に側方張り出し部２０が当接してそれを支持する。
【００２８】
また、側方張り出し部２０の後部には、サポート壁部２１が上方に向けて突設されていてもよい。サポート壁部２１は、パーミング時に手の平に当接してその手の平を内側から支える。サポート壁部２１の最上部２１ａは、トリガー１４の先端部１４ａよりも後側に位置し、グリップ部１５の先端部１５ａよりも前側に位置する。サポート壁部２１は固定フード部１２よりも上方に突出していることが好ましい。
【符号の説明】
【００２９】
１    リールシート本体
２    竿本体
１０    竿挿通孔
１０ａ  中心線
１１    リール脚載置部
１２    固定フード部
１３    フード用雄ネジ部
１４    トリガー
１４ａ  先端部
１４ｂ  前面
１４ｃ  後面
１５    グリップ部
１５ａ  先端部
１５ｂ  前面
１５ｃ  後面
１６    延長筒部
２０    側方張り出し部
２１    サポート壁部
２１ａ  最上部
１００  人差し指
１０１  中指
１０２  薬指
１０３  小指
【図１】
2019140961.tif 000003
【図２】
2019140961.tif 000004
【図３】
2019140961.tif 000005
【図４】
2019140961.tif 000006
【図５】
2019140961.tif 000007
【図６】
2019140961.tif 000008
【図７】
2019140961.tif 000009
【図８】
2019140961.tif 000010